(57)【要約】【課題】電気光学パネルのスイッチ回路において発生するノイズの悪影響を低減でき、表示品質の向上等を図れる表示ドライバー等の提供。【解決手段】表示ドライバー１０は、第１のデータ信号出力端子ＴＱ１と、データ信号を出力する第１のアンプ回路ＡＭ１と、第１のアンプ回路ＡＭ１の出力ノードＮＱ１に接続される第１の補償回路ＣＰＣ１と、電気光学パネル１５０の第１のデータ信号入力端子ＴＩ１と第１のデータ線群との間に設けられ、スイッチ素子群を有する第１のスイッチ回路ＳＷＣ１に対してスイッチ信号ＳＥＬ１〜ＳＥＬ８を出力するスイッチ信号出力回路４０を含む。第１の補償回路ＣＰＣ１は、スイッチ信号により第１のスイッチ回路ＳＷＣ１のスイッチ素子がオフされる際にスイッチ素子から第１のデータ信号出力端子ＴＱ１に入力されるノイズを、スイッチ信号出力回路４０からの制御信号ＣＴに基づいて補償する。【選択図】図１
2020042179.tif 000002
【特許請求の範囲】
【請求項１】
第１のデータ信号出力端子と、
前記第１のデータ信号出力端子に対してデータ信号を出力する第１のアンプ回路と、
前記第１のアンプ回路の出力ノードに接続される第１の補償回路と、
電気光学パネルの第１のデータ信号入力端子と第１のデータ線群との間に設けられ、スイッチ素子群を有する前記電気光学パネルの第１のスイッチ回路に対して、スイッチ信号を出力するスイッチ信号出力回路と、
を含み、
前記第１の補償回路は、
前記スイッチ信号により前記第１のスイッチ回路のスイッチ素子がオフされる際に前記第１のスイッチ回路の前記スイッチ素子から前記第１のデータ信号出力端子に入力されるノイズを、前記スイッチ信号出力回路からの制御信号に基づいて補償することを特徴とする表示ドライバー。
【請求項２】
請求項１に記載の表示ドライバーにおいて、
前記第１の補償回路は、
前記第１のアンプ回路の前記出力ノードに一端が接続される第１のキャパシターと、
前記制御信号に基づく第１の出力信号を、前記第１のキャパシターの他端へ出力する第１の信号出力回路と、
を有することを特徴とする表示ドライバー。
【請求項３】
請求項２に記載の表示ドライバーにおいて、
前記第１の信号出力回路は、
前記制御信号が入力され、前記制御信号を遅延させる第１の遅延回路と、
前記第１の遅延回路の出力信号が入力され、前記出力信号をバッファリングして、バッファリング後の前記出力信号を前記第１の出力信号として前記第１のキャパシターの他端へ出力する第１のバッファー回路と、
を含むことを特徴とする表示ドライバー。
【請求項４】
請求項１に記載の表示ドライバーにおいて、
第２のデータ信号出力端子と、
前記第２のデータ信号出力端子に対してデータ信号を出力する第２のアンプ回路と、
前記第２のアンプ回路の出力ノードに接続される第２の補償回路と、
を含み、
前記スイッチ信号出力回路は、
前記電気光学パネルの第２のデータ信号入力端子と第２のデータ線群との間に設けられ、スイッチ素子群を有する前記電気光学パネルの第２のスイッチ回路に対して、前記スイッチ信号を出力し、
前記第２の補償回路は、
前記スイッチ信号により前記第２のスイッチ回路のスイッチ素子がオフされる際に前記第２のスイッチ回路の前記スイッチ素子から前記第２のデータ信号出力端子に入力されるノイズを、前記スイッチ信号出力回路からの前記制御信号に基づいて補償することを特徴とする表示ドライバー。
【請求項５】
請求項４に記載の表示ドライバーにおいて、
前記第１の補償回路は、
前記第１のアンプ回路の前記出力ノードに一端が接続される第１のキャパシターと、
前記制御信号に基づく第１の出力信号を、前記第１のキャパシターの他端へ出力する第１の信号出力回路と、
を含み、
前記第２の補償回路は、
前記第２のアンプ回路の前記出力ノードに一端が接続される第２のキャパシターと、
前記制御信号に基づく第２の出力信号を、前記第２のキャパシターの他端へ出力する第２の信号出力回路と、
を含むことを特徴とする表示ドライバー。
【請求項６】
請求項５に記載の表示ドライバーにおいて、
前記第１の出力信号は、前記制御信号を第１の遅延時間だけ遅延した信号であり、
前記第２の出力信号は、前記制御信号を、前記第１の遅延時間とは異なる第２の遅延時間だけ遅延した信号であることを特徴とする表示ドライバー。
【請求項７】
請求項５又は６に記載の表示ドライバーにおいて、
前記第１の信号出力回路は、
前記制御信号が入力され、前記制御信号を遅延させる第１の遅延回路と、
前記第１の遅延回路の出力信号が入力され、前記出力信号をバッファリングして、バッファリング後の前記出力信号を前記第１の出力信号として前記第１のキャパシターの他端へ出力する第１のバッファー回路と、
を含み、
前記第２の信号出力回路は、
前記制御信号が入力され、前記制御信号を遅延させる第２の遅延回路と、
前記第２の遅延回路の出力信号が入力され、前記出力信号をバッファリングして、バッファリング後の前記出力信号を前記第２の出力信号として前記第２のキャパシターの他端へ出力する第２のバッファー回路と、
を含むことを特徴とする表示ドライバー。
【請求項８】
請求項７に記載の表示ドライバーにおいて、
前記第１のバッファー回路は第１の駆動能力で前記第１の出力信号を出力し、
前記第２のバッファー回路は前記第１の駆動能力と異なる第２の駆動能力で前記第２の出力信号を出力することを特徴とする表示ドライバー。
【請求項９】
請求項７又は８に記載の表示ドライバーにおいて、
前記第１の遅延回路は、第１の遅延時間で前記制御信号を遅延させ、
前記第２の遅延回路は、前記第１の遅延時間とは異なる第２の遅延時間で前記制御信号を遅延させることを特徴とする表示ドライバー。
【請求項１０】
請求項１乃至９のいずれか一項に記載の表示ドライバーにおいて、
前記スイッチ信号出力回路は、
前記第１のスイッチ回路の前記スイッチ素子群をオン、オフするスイッチ信号群に基づいて生成された前記制御信号を出力することを特徴とする表示ドライバー。
【請求項１１】
請求項１乃至１０のいずれか一項に記載の表示ドライバーと、
前記表示ドライバーにより駆動される前記電気光学パネルと、
を含むことを特徴とする電気光学装置。
【請求項１２】
請求項１乃至１０のいずれか一項に記載の表示ドライバーを含むことを特徴とする電子機器。
【請求項１３】
請求項１乃至１０のいずれか一項に記載の表示ドライバーを含むことを特徴とする移動体。
【発明の詳細な説明】
【技術分野】
【０００１】
本発明は、表示ドライバー、電気光学装置、電子機器及び移動体等に関する。
【背景技術】
【０００２】
液晶パネルなどの電気光学パネルを駆動する表示ドライバーでは、パネルの高精細化や駆動の高速化のために、データ線駆動用のアンプ回路の周波数応答特性を高める必要がある。アンプ回路の周波数応答特性を高くすることで、パネルの高精細化に伴いデータ線の駆動期間が短くなった場合にも、画素の電圧を目標電圧に到達させることが可能になる。
【０００３】
また表示ドライバーにより駆動される電気光学パネルには、デマルチ駆動等のためのスイッチ回路が設けられているものがある。このようなスイッチ回路が設けられている場合に、スイッチ回路のスイッチ素子がオンからオフになった際に、プッシュダウンノイズが発生するという問題がある。
【０００４】
例えば特許文献１には、アンプ回路であるバッファーアンプの駆動能力を増加させることなく画素への階調信号電圧の書き込みの駆動能力を向上させる手法が開示されている。特許文献１の表示装置では、表示ドライバーは、データ線を駆動するバッファーアンプと、バッファーアンプの出力端子と液晶パネルのデータ線との間に設けられた出力スイッチ回路を有する。そして駆動期間の前半期間においてスイッチ回路のスイッチ素子をオフにして、表示ドライバーのバッファーアンプの出力信号の電圧を目的の階調信号電圧に変化させる。そして前半期間の終了後にスイッチ素子をオンにして、液晶パネルのデータ線の電圧を瞬時に目的の階調信号電圧に到達させる。
【先行技術文献】
【特許文献】
【０００５】
【特許文献１】特開２００６−３０８７８４号公報
【発明の概要】
【発明が解決しようとする課題】
【０００６】
電気光学パネルに設けられたスイッチ回路においてプッシュダウンノイズが発生した場合に、表示ドライバーのアンプ回路の周波数応答特性が高いと、アンプ回路が、プッシュダウンノイズによる電圧変動に反応してしまい、表示品質の低下などの問題を招く。表示品質の低下を抑制するために、アンプ回路の周波数応答特性を高めなかった場合には、パネルの高精細化や高速駆動に対応することが難しいという課題があった。例えば特許文献１の表示ドライバーにもスイッチノイズ補償回路が設けられているが、このスイッチノイズ補償回路は、データ線に保持された階調信号電圧が変化することを防ぐために設けられたものである。このスイッチノイズ補償回路があったとしても、スイッチからのスイッチノイズがバッファーアンプに悪影響を及ぼし、表示品質の低下などの問題を招くおそれがある。
【課題を解決するための手段】
【０００７】
本発明の一態様は、第１のデータ信号出力端子と、前記第１のデータ信号出力端子に対してデータ信号を出力する第１のアンプ回路と、前記第１のアンプ回路の出力ノードに接続される第１の補償回路と、電気光学パネルの第１のデータ信号入力端子と第１のデータ線群との間に設けられ、スイッチ素子群を有する前記電気光学パネルの第１のスイッチ回路に対して、スイッチ信号を出力するスイッチ信号出力回路と、を含み、前記第１の補償回路は、前記スイッチ信号により前記第１のスイッチ回路のスイッチ素子がオフされる際に前記第１のスイッチ回路の前記スイッチ素子から前記第１のデータ信号出力端子に入力されるノイズを、前記スイッチ信号出力回路からの制御信号に基づいて補償する表示ドライバーに関係する。
【図面の簡単な説明】
【０００８】
【図１】本実施形態の表示ドライバーの構成例。
【図２】表示ドライバーの詳細な構成例。
【図３】プッシュダウンノイズの発生の説明図。
【図４】プッシュダウンノイズの波形例。
【図５】プッシュダウンノイズに対するアンプ回路の応答の説明図。
【図６】プッシュダウンノイズによる画素の電圧値のずれの問題の説明図。
【図７】プッシュダウンノイズの問題を説明する波形図。
【図８】プッシュダウンノイズによる表示品質の悪化の説明図。
【図９】補償回路の構成例。
【図１０】補償回路の動作説明図。
【図１１】補償回路の遅延回路及びバッファー回路の構成例。
【図１２】補償回路での遅延時間、駆動能力の設定手法の説明図。
【図１３】本実施形態のノイズ補償手法の効果についての説明図。
【図１４】ノイズ補償手法による画素の電圧値のずれの低減についての説明図。
【図１５】表示ドライバー、電気光学パネルの詳細な構成例。
【図１６】制御信号の生成手法の説明図。
【図１７】電気光学装置の構成例。
【図１８】電子機器の構成例。
【図１９】移動体の構成例。
【発明を実施するための形態】
【０００９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００１０】
１．表示ドライバー
図１に本実施形態の表示ドライバー１０の構成例を示す。表示ドライバー１０は、データ信号出力端子ＴＱ１〜ＴＱｊ〜ＴＱｎと、アンプ回路ＡＭ１〜ＡＭｊ〜ＡＭｎと、スイッチ信号出力回路４０を含む。ｎは２以上の整数であり、ｊは１＜ｊ＜ｎとなる整数である。アンプ回路ＡＭ１〜ＡＭｎにより、電気光学パネル１５０を駆動する駆動回路２０が構成される。表示ドライバー１０と電気光学パネル１５０とにより、後述の図１７に示すように電気光学装置１６０が構成される。
【００１１】
電気光学パネル１５０は、画像を表示するためのパネルであり、例えば液晶パネルや有機ＥＬパネルなどにより実現できる。液晶パネルとしては、薄膜トランジスター（ＴＦＴ）などのスイッチ素子を用いたアクティブマトリクス方式のパネルを採用できる。具体的には表示パネルである電気光学パネル１５０は、複数の画素を有する。例えばマトリクス状に配置された複数の画素を有する。また電気光学パネル１５０は、複数のデータ線Ｓ１１〜Ｓｎ８と、複数のデータ線Ｓ１１〜Ｓｎ８に交差する方向に配線される複数の走査線Ｇ１〜Ｇｍを有する。ｍは２以上の整数である。データ線Ｓ１１〜Ｓｎ８はソース線とも呼ばれ、走査線Ｇ１〜Ｇｍはゲート線とも呼ばれる。そして電気光学パネル１５０では、Ｓ１１〜Ｓｎ８の各データ線とＧ１〜Ｇｍの各走査線が交差する領域に、複数の画素の各画素が設けられる。またアクティブマトリクス方式のパネルの場合には、各画素の領域に、薄膜トランジスターなどのスイッチ素子が設けられる。そして電気光学パネル１５０は、各画素の領域における電気光学素子の光学特性を変化させることで表示動作を実現する。電気光学素子は液晶素子、ＥＬ素子等である。なお有機ＥＬパネルの場合には、各画素の領域にＥＬ素子を電流駆動するための画素回路が設けられる。
【００１２】
また電気光学パネル１５０は、スイッチ回路ＳＷＣ１〜ＳＷＣｊ〜ＳＷＣｎと、データ信号入力端子ＴＩ１〜ＴＩｊ〜ＴＩｎと、スイッチ信号入力端子ＴＢ１〜ＴＢ８を含む。スイッチ回路ＳＷＣ１〜ＳＷＣｎは、例えばデマルチ駆動用のスイッチ回路であり、デマルチプレクサーとも呼ばれる。なお本実施形態では、ＳＷＣ１〜ＳＷＣｎの各スイッチ回路に接続されるデータ線が８本であるデマルチ駆動を主に例にとり説明するが、本実施形態はこれに限定されない。各スイッチ回路に接続されるデータ線は８本以外でもよく、例えば４本、１６本、３２本、６４本等であってもよい。なお本実施形態における接続は、電気的な接続である。電気的な接続は、電気信号が伝達可能に接続されていることであり、電気信号による情報の伝達が可能となる接続であり、他の信号線や能動素子等を介した接続であってもよい。
【００１３】
スイッチ回路ＳＷＣ１は、電気光学パネル１５０のデータ信号入力端子ＴＩ１とデータ線Ｓ１１〜Ｓ１８との間に設けられる。例えば、スイッチ回路ＳＷＣ１は第１のスイッチ回路であり、データ信号入力端子ＴＩ１は第１のデータ信号入力端子であり、データ線Ｓ１１〜Ｓ１８は第１のデータ線群である。そしてスイッチ回路ＳＷＣ１は、表示ドライバー１０からのスイッチ信号ＳＥＬ１〜ＳＥＬ８に基づいて、Ｓ１１〜Ｓ１８のいずれかのデータ線を選択して、選択されたデータ線に対して表示ドライバー１０からのデータ信号ＤＱ１を出力する。スイッチ回路ＳＷＣｊは、データ信号入力端子ＴＩｊとデータ線Ｓｊ１〜Ｓｊ８との間に設けられる。例えば、スイッチ回路ＳＷＣｊは第２のスイッチ回路であり、データ信号入力端子ＴＩｊは第２のデータ信号入力端子であり、データ線Ｓｊ１〜Ｓｊ８は第２のデータ線群である。そしてスイッチ回路ＳＷＣｊは、表示ドライバー１０からのスイッチ信号ＳＥＬ１〜ＳＥＬ８に基づいて、Ｓｊ１〜Ｓｊ８のいずれかのデータ線を選択して、選択されたデータ線に対して表示ドライバー１０からのデータ信号ＤＱｊを出力する。スイッチ回路ＳＷＣｎの構成、動作もスイッチ回路ＳＷＣ１、ＳＷＣｊと同様であるため詳細な説明は省略する。
【００１４】
そして本実施形態の表示ドライバー１０は、データ信号出力端子ＴＱ１と、アンプ回路ＡＭ１と、補償回路ＣＰＣ１と、スイッチ信号出力回路４０を含む。データ信号出力端子ＴＱ１は第１のデータ信号出力端子であり、例えばＩＣチップである表示ドライバー１０のパッドである。アンプ回路ＡＭ１は第１のアンプ回路であり、データ信号出力端子ＴＱ１に対してデータ信号ＤＱ１を出力する。例えばアンプ回路ＡＭ１は、画像データである表示データに対応するデータ電圧をデータ信号ＤＱ１として出力する。補償回路ＣＰＣ１は、第１の補償回路であり、アンプ回路ＡＭ１の出力ノードＮＱ１に接続される。例えば補償回路ＣＰＣ１は後述するプッシュダウンノイズをキャンセルするための補償信号を出力ノードＮＱ１に出力する。なお本実施形態では、プッシュダウンノイズを、適宜、単にノイズと記載する。
【００１５】
電気光学パネル１５０のスイッチ回路ＳＷＣ１は、上述したように、電気光学パネル１５０の第１のデータ信号入力端子であるデータ信号入力端子ＴＩ１と第１のデータ線群であるデータ線Ｓ１１〜Ｓ１８との間に設けられる。スイッチ回路ＳＷＣ１は、後述の図３、図１５に示すようにスイッチ素子群を含む。スイッチ素子群を構成する各スイッチ素子は例えばＭＯＳ（Metal-Oxide-Semiconductor）のトランジスターにより実現される。そしてスイッチ信号出力回路４０は、第１のスイッチ回路であるスイッチ回路ＳＷＣ１に対して、スイッチ信号ＳＥＬ１〜ＳＥＬ８を出力する。スイッチ信号ＳＥＬ１〜ＳＥＬ８は、スイッチ回路ＳＷＣ１のスイッチ素子群のオン、オフを制御する信号であり、オン、オフするスイッチ素子の選択信号である。例えばスイッチ信号出力回路４０は、表示ドライバー１０のスイッチ信号出力端子ＴＡ１〜ＴＡ８及び電気光学パネル１５０のスイッチ信号入力端子ＴＢ１〜ＴＢ８を介してスイッチ回路ＳＷＣ１にスイッチ信号ＳＥＬ１〜ＳＥＬ８を出力する。そしてスイッチ回路ＳＷＣ１は、スイッチ信号ＳＥＬ１、ＳＥＬ２・・・ＳＥＬ８がアクティブになると、各々、データ線Ｓ１１、Ｓ１２・・・Ｓ１８を選択する。これによりアンプ回路ＡＭ１からのデータ信号ＤＱ１がＳ１１〜Ｓ１８の各データ線に供給されて、デマルチ駆動が実現される。
【００１６】
そして本実施形態では、第１の補償回路である補償回路ＣＰＣ１は、ＳＥＬ１〜ＳＥＬ８のいずれかのスイッチ信号によりスイッチ回路ＳＷＣ１のスイッチ素子がオフされる際にスイッチ回路ＳＷＣ１のスイッチ素子からデータ信号出力端子ＴＱ１に入力されるノイズを、スイッチ信号出力回路４０からの制御信号ＣＴに基づいて補償する。スイッチ信号出力回路４０は、例えばスイッチ信号ＳＥＬ１〜ＳＥＬ８に基づいて制御信号ＣＴを生成して出力する。制御信号ＣＴは、例えばスイッチ信号ＳＥＬ１〜ＳＥＬ８のエッジに対応するエッジを有する信号である。信号のエッジは、信号の立ち上がりエッジ又は立ち下がりエッジある。具体的には制御信号ＣＴは、スイッチ信号ＳＥＬ１〜ＳＥＬ８のエッジから遅れたタイミングで変化するエッジを有する信号である。そして補償回路ＣＰＣ１は、スイッチ信号ＳＥＬ１〜ＳＥＬ８に基づき生成された制御信号ＣＴを用いて、ノイズの補償を行う。ノイズの補償は、ノイズをキャンセルして低減することである。例えばスイッチ回路ＳＷＣ１のスイッチ素子群のいずれかのスイッチ素子がオンからオフに変化するタイミングにおいて、後述するプッシュダウンノイズが発生する。このノイズは、スイッチ回路ＳＷＣ１から、電気光学パネル１５０のデータ信号入力端子ＴＩ１を介して表示ドライバー１０のデータ信号出力端子ＴＱ１に入力されて、アンプ回路ＡＭ１の出力ノードＮＱ１に伝達される。補償回路ＣＰＣ１は、出力ノードＮＱ１にノイズの補償信号を出力することで、当該ノイズをキャンセルして低減するノイズ補償を行う。例えば補償回路ＣＰＣ１は、ノイズを発生させているスイッチ信号ＳＥＬ１〜ＳＥＬ８に応じた制御信号ＣＴを用いて、ノイズの極性と逆極性の補償信号を出力することで、ノイズ補償を行う。例えばノイズが時系列において負極性側に変化するノイズである場合には、補償信号は正極性側に信号レベルが変化する信号になる。そして補償信号の信号レベルの変化分は、ノイズの変化分に対応する。このようにすることで、ノイズを原因とする電気光学パネル１５０の表示品質の悪化を防止できるようになる。なおノイズが時系列において正極性側に変化するノイズである場合に、補償信号は負極性側に信号レベルが変化する信号とすることができる。
【００１７】
例えば電気光学パネル１５０のスイッチ回路ＳＷＣ１においてプッシュダウンノイズが発生した際に、アンプ回路ＡＭ１の周波数応答特性が高い場合には、当該ノイズにアンプ回路ＡＭ１が反応してしまう。このようにアンプ回路ＡＭ１がノイズに反応してしまうと、データ信号ＤＱ１のデータ電圧のレベルが、目標電圧のレベルからずれてしまい、このずれた電圧が、スイッチ回路ＳＷＣ１のスイッチ素子がオンからオフになることで、電気光学パネル１５０の画素電圧として保持されてしまう。これにより電気光学パネル１５０の画素に対して、目標電圧とは異なる電圧が保持されてしまい、表示品質が悪化してしまう。この点、本実施形態では、補償回路ＣＰＣ１を設けることで、スイッチ回路ＳＷＣ１からのノイズを低減するノイズ補償が行われる。従って、パネルの高精細化や高速駆動に対応してアンプ回路ＡＭ１の周波数応答特性を高くした場合にも、ノイズに対するアンプ回路ＡＭ１の反応が少なくなるため、ノイズを原因とする表示品質の悪化を防止できる。別の言い方をすれば、これまではプッシュダウンノイズなどのノイズを原因とする表示品質の悪化が理由となって、アンプ回路ＡＭ１の周波数応答特性を高めることができなかったが、本実施形態のようにノイズ補償を行うことで、アンプ回路ＡＭ１の周波数応答特性を高くすることができる。これによりパネルの高精細化や高速駆動に対応できる表示ドライバー１０の実現が可能になる。
【００１８】
また図１に示すように本実施形態の表示ドライバー１０は、データ信号出力端子ＴＱｊと、データ信号出力端子ＴＱｊに対してデータ信号ＤＱｊを出力するアンプ回路ＡＭｊと、アンプ回路ＡＭｊの出力ノードＮＱｊに接続される補償回路ＣＰＣｊを含む。例えばデータ信号出力端子ＴＱｊは第２のデータ信号出力端子であり、アンプ回路ＡＭｊは第２のアンプ回路であり、補償回路ＣＰＣｊは第２の補償回路である。なおデータ信号出力端子ＴＱｎ、アンプ回路ＡＭｎ、補償回路ＣＰＣｎが、各々、第２のデータ信号出力端子、第２のアンプ回路、第２の補償回路であってもよい。そしてスイッチ信号出力回路４０は、電気光学パネル１５０のデータ信号入力端子ＴＩｊとＳｊ１〜Ｓｊ８のデータ線群との間に設けられ、スイッチ素子群を有する電気光学パネル１５０のスイッチ回路ＳＷＣｊに対して、スイッチ信号ＳＥＬ１〜ＳＥＬ８を出力する。データ信号入力端子ＴＩｊは第２のデータ信号入力端子であり、データ線Ｓｊ１〜Ｓｊ８は第２のデータ線群であり、スイッチ回路ＳＷＣｊは第２のスイッチ回路である。なおデータ信号入力端子ＴＩｎ、データ線Ｓｎ１〜Ｓｎ８、スイッチ回路ＳＷＣｎが、各々、第２のデータ信号入力端子、第２のデータ線群、第２のスイッチ回路であってもよい。スイッチ回路ＳＷＣｊは、スイッチ信号ＳＥＬ１、ＳＥＬ２・・・ＳＥＬ８がアクティブになると、各々、データ線Ｓｊ１、Ｓｊ２・・・Ｓｊ８を選択する。スイッチ信号ＳＥＬ１〜ＳＥＬ８はスイッチ回路ＳＷＣｊのスイッチ素子群のオン、オフを制御する信号である。これによりアンプ回路ＡＭｊからのデータ信号ＤＱｊがＳｊ１〜Ｓｊ８の各データ線に供給されて、デマルチ駆動が実現される。
【００１９】
そして第２の補償回路である補償回路ＣＰＣｊは、ＳＥＬ１〜ＳＥＬ８のいずれかのスイッチ信号によりスイッチ回路ＳＷＣｊのスイッチ素子がオフされる際にスイッチ回路ＳＷＣｊのスイッチ素子からデータ信号出力端子ＴＱｊに入力されるノイズを、スイッチ信号出力回路４０からの制御信号ＣＴに基づいて補償する。例えば補償回路ＣＰＣｊは、スイッチ信号ＳＥＬ１〜ＳＥＬ８に基づき生成された制御信号ＣＴを用いて、ノイズの補償を行う。例えばスイッチ回路ＳＷＣｊのスイッチ素子群のいずれかのスイッチ素子がオンからオフに変化するタイミングにおいて、プッシュダウンノイズが発生する。このノイズは、スイッチ回路ＳＷＣｊから、電気光学パネル１５０のデータ信号入力端子ＴＩｊを介して表示ドライバー１０のデータ信号出力端子ＴＱｊに入力されて、アンプ回路ＡＭｊの出力ノードＮＱｊに伝達される。補償回路ＣＰＣｊは、出力ノードＮＱｊにノイズの補償信号を出力することで、当該ノイズをキャンセルして低減するノイズ補償を行う。例えば補償回路ＣＰＣｊは、ノイズを発生させているスイッチ信号ＳＥＬ１〜ＳＥＬ８に応じた制御信号ＣＴを用いて、ノイズの極性と逆極性の補償信号を出力することで、ノイズ補償を行う。このようにすることで、ノイズを原因とする電気光学パネル１５０の表示品質の悪化を防止できるようになる。例えば、パネルの高精細化や高速駆動に対応してアンプ回路ＡＭｊの周波数応答特性を高くした場合にも、ノイズに対するアンプ回路ＡＭｊの反応が少なくなるため、ノイズを原因とする表示品質の悪化を防止できる。別の言い方をすれば、補償回路ＣＰＣｊによりノイズ補償を行うことで、アンプ回路ＡＭｊの周波数応答特性を高くでき、パネルの高精細化や高速駆動に対応できる表示ドライバー１０の実現が可能になる。
【００２０】
図２に表示ドライバー１０の詳細な構成例を示す。図２の表示ドライバー１０は、駆動回路２０、Ｄ／Ａ変換回路３０、階調電圧生成回路３２、多重化回路３４、スイッチ信号出力回路４０、処理回路５０、インターフェース回路６０を含む。
【００２１】
駆動回路２０は、図１に示すように複数のアンプ回路ＡＭ１〜ＡＭｎを有し、これらのアンプ回路ＡＭ１〜ＡＭｎにより電気光学パネル１５０を駆動する。例えば駆動回路２０は、表示データに対応するデータ電圧の信号をデータ線に出力することで、電気光学パネル１５０のデータ線を駆動するデータドライバーである。なお駆動回路２０は、電気光学パネル１５０の走査線を駆動する走査線駆動回路を含んでもよい。走査線駆動回路は、ゲートドライバーとも呼ばれ、走査線選択電圧を用いて走査線を選択する駆動を行う。例えば複数の走査線を線順次で選択する動作を行う。
【００２２】
Ｄ／Ａ変換回路３０は、階調電圧生成回路３２からの複数の階調電圧の中から表示データに対応する電圧を選択して、データ電圧として駆動回路２０のアンプ回路ＡＭ１〜ＡＭｎに出力する。例えばＤ／Ａ変換回路３０は、アンプ回路ＡＭ１〜ＡＭｎに対応して設けられたｎ個のＤ／Ａ変換器ＤＡＣ１〜ＤＡＣｎを有する。アンプ回路ＡＭ１〜ＡＭｎは、Ｄ／Ａ変換回路３０のＤ／Ａ変換器ＤＡＣ１〜ＤＡＣｎからのデータ電圧をバッファリングした信号を、データ信号ＤＱ１〜ＤＱｎとして出力する。
【００２３】
階調電圧生成回路３２は、基準電圧である複数の階調電圧を生成する。これらの複数の階調電圧はガンマー補正された電圧である。階調電圧生成回路３２は、例えば高電位側電源であるＶＤＤと低電位側電源であるＶＳＳとの間に設けられるラダー抵抗回路などにより実現できる。
【００２４】
多重化回路３４は、デマルチ駆動のための表示データの多重化処理を行う。例えばＳＷＣ１〜ＳＷＣｎの各スイッチ回路に接続されるデータ線が８本であるデマルチ駆動の場合には、８本分のデータ線に対応する表示データを時分割に多重化し、Ｄ／Ａ変換回路３０の各Ｄ／Ａ変換器ＤＡＣ１〜ＤＡＣｎに出力する。別の言い方をすれば、多重化回路３４は、８本分のデータ線に対応する表示データを時系列に並べて、Ｄ／Ａ変換回路３０の各Ｄ／Ａ変換器ＤＡＣ１〜ＤＡＣｎに出力する。
【００２５】
スイッチ信号出力回路４０は、処理回路５０の制御の下で、スイッチ信号ＳＥＬ１〜ＳＥＬ８を生成して電気光学パネル１５０に出力する。またスイッチ信号ＳＥＬ１〜ＳＥＬ８に応じて生成された制御信号ＣＴを出力する。
【００２６】
処理回路５０は、表示ドライバー１０内の各回路の制御や電気光学パネル１５０の表示制御などの各種の制御処理を行う回路である。処理回路５０は、複数の制御信号を出力することでこれらの制御処理を実行する。処理回路５０は、例えばゲートアレイなどの自動配置配線により実現できる。
【００２７】
インターフェース回路６０は、表示ドライバー１０の外部デバイスとのインターフェースとなる回路である。インターフェース回路６０は、集積回路装置である表示ドライバー１０のＩ／Ｏ回路であり、複数のＩ／Ｏセルが設けられている。各Ｉ／Ｏセルには、パッドである端子や、入力バッファー、出力バッファー又は入出力バッファーや、静電気保護回路などの保護回路が設けられている。またインターフェース回路６０は、例えばＳＰＩ（Serial Peripheral Interface）やＩ２Ｃ（Inter-Integrated Circuit）などのシリアルインターフェース回路や、ＲＧＢインターフェースなどと呼ばれるパラレルのインターフェース回路を含むことができる。なお表示ドライバー１０は図１、図２の構成に限定されず、これらの一部の構成要素を省略したり、他の構成要素を追加したりするなどの種々の変形実施が可能である。例えば表示ドライバー１０に、各種の設定情報を記憶する不揮発性メモリーや、チャージポンプ動作等により各種の電源電圧を生成する電源回路などを設けてもよい。
【００２８】
２．プッシュダウンノイズ
次にプッシュダウンノイズの問題点について説明する。図３に示すように表示ドライバー１０はアンプ回路ＡＭとデータ信号出力端子ＴＱを有する。アンプ回路ＡＭは図１のアンプ回路ＡＭ１〜ＡＭｎに対応し、データ信号出力端子ＴＱはデータ信号出力端子ＴＱ１〜ＴＱｎに対応する。またＤＱはアンプ回路ＡＭ１〜ＡＭｎが出力するデータ信号ＤＱ１〜ＤＱｎに対応する。
【００２９】
電気光学パネル１５０は、スイッチ回路ＳＷＣとデータ信号入力端子ＴＩを有する。スイッチ回路ＳＷＣは図１のスイッチ回路ＳＷＣ１〜ＳＷＣｎに対応し、データ信号入力端子ＴＩはデータ信号入力端子ＴＩ１〜ＴＩｎに対応する。なおＲＥは静電気保護等のために用いられる抵抗である。またＣＳは配線の寄生容量を表し、ＣＰＸは画素の容量を表している。
【００３０】
スイッチ回路ＳＷＣは複数のスイッチ素子ＳＷ１〜ＳＷ８を有し、これらのスイッチ素子ＳＷ１〜ＳＷ８がスイッチ回路ＳＷＣのスイッチ素子群である。スイッチ素子ＳＷ１〜ＳＷ８を構成するトランジスターのゲートには、表示ドライバー１０のスイッチ信号出力回路４０からのスイッチ信号ＳＥＬ１〜ＳＥＬ８が入力される。これによりスイッチ素子ＳＷ１〜ＳＷ８のオン、オフが制御され、デマルチプレクサーが実現される。なお本実施形態では、スイッチ信号ＳＥＬ１〜ＳＥＬ８を、適宜、単にスイッチ信号ＳＥＬと記載する。
【００３１】
スイッチ回路ＳＷＣのスイッチ素子ＳＷ１に入力されるスイッチ信号ＳＥＬ＝ＳＥＬ１がＨレベルからＬレベルに変化することで、スイッチ素子ＳＷ１がオンからオフになる。そして図３のＡ１に示すように、スイッチ素子ＳＷ１がオンからオフになる際に、スイッチ素子ＳＷ１を構成するトランジスターのゲート・ソース間の寄生容量を介して、スイッチ信号ＳＥＬのＨレベルからＬレベルへの電圧変化が伝達されることで、プッシュダウンノイズが発生する。このＡ１に示すプッシュダウンノイズは、スイッチ素子ＳＷ１のソースのノードから、電気光学パネル１５０のデータ信号入力端子ＴＩを介して、表示ドライバー１０のデータ信号出力端子ＴＱに伝達する。するとアンプ回路ＡＭが、このプッシュダウンノイズに反応してしまい、Ａ２に示すようにデータ信号ＤＱの信号レベルが変動する。即ちスイッチ信号ＳＥＬがＨレベルからＬレベルに変化して、スイッチ素子ＳＷ１がオフに変化する際に、データ信号ＤＱの信号レベルが変動する。
【００３２】
図４はプッシュダウンノイズの波形例である。スイッチ信号ＳＥＬがＨレベルからＬレベルに変化して、スイッチ素子ＳＷ１がオンからオフに変化する際に、図３のＡ１に示すように、スイッチ素子ＳＷ１のトランジスターのゲート・ソース間の容量が原因となって、図４に示すようなプッシュダウンノイズが発生する。プッシュダウンノイズは例えば負極性側に信号レベルを変化させるノイズである。
【００３３】
図５はプッシュダウンノイズに対するアンプ回路ＡＭの反応についての説明図である。Ｂ１は、アンプ回路ＡＭの周波数応答特性が高い場合のプッシュダウンノイズに対する反応の例であり、Ｂ２は、周波数応答特性が低い場合の反応の例である。図４のプッシュダウンノイズに対して、アンプ回路ＡＭの周波数特性が高い場合には、図５のＢ１に示すように、Ｂ２に比較して大きく反応してしまい、アンプ回路ＡＭが出力するデータ信号ＤＱの信号レベルが大きく変動する。ここで周波数応答特性が高いとは、アンプ回路ＡＭの周波数特性においてゲインが所定値以上になる周波数帯域が高い周波数まであることである。アンプ回路ＡＭの周波数応答特性が高いと、高周波のノイズに対しても反応してしまい、Ｂ１に示すようにデータ信号ＤＱの信号レベルの変動が大きくなる。一方、アンプ回路ＡＭの周波数応答特性が低いと、高周波のノイズに対してあまり反応しなくなり、Ｂ２に示すようにデータ信号ＤＱの信号レベルの変動も小さくなる。そして、プッシュダウンノイズに対するアンプ回路ＡＭの反応のタイミングに応じて、図６のＢ３、Ｂ４に示すように、画素に書き込まれる電圧の値がずれてしまうという問題が発生する。
【００３４】
例えば図７のＢ５では、スイッチ信号ＳＥＬが遷移期間ＴＲＰにおいてＨレベルからＬレベルに変化しており、これによりＢ６に示すようにプッシュダウンノイズが発生している。そしてアンプ回路ＡＭの周波数応答特性が高い場合には、データ信号ＤＱはＢ７に示すように大きく変動し、アンプ回路ＡＭの周波数応答特性が低い場合には、データ信号ＤＱはＢ８に示すように変動する。
【００３５】
そしてＢ９に示すようにスイッチ信号ＳＥＬがＬレベルになったタイミングにおいて、図３のスイッチ回路ＳＷＣのスイッチ素子ＳＷ１が完全にオフになり、このタイミングでのデータ信号ＤＱの電圧がサンプルホールドされて、画素の電圧値として書き込まれる。従って、図７のＢ７に示すようにアンプ回路ＡＭの周波数応答特性が高い場合には、Ｂ８に示す周波数応答特性が低い場合に比べて、画素の書き込み電圧の変動も大きくなる。
【００３６】
図８は、プッシュダウンノイズによる表示品質の悪化の説明図である。例えば図８では、電気光学パネル１５０の左端側からスイッチ信号ＳＥＬが入力されている。このスイッチ信号ＳＥＬは電気光学パネル１５０の信号配線を介して、電気光学パネル１５０の左端側から右端側へと伝達される。ここで左端は、電気光学パネル１５０の一方の端部であり、右端は、電気光学パネル１５０の他方の端部である。このため、スイッチ信号ＳＥＬの信号波形は、信号配線の寄生抵抗等が原因で、電気光学パネル１５０の右端側では左端側に比べて信号波形が鈍る。例えば電気光学パネル１５０の左端側では、スイッチ信号ＳＥＬの信号レベルは比較的急峻に変化するが、右端側ではスイッチ信号ＳＥＬの信号レベルはゆっくりと変化する。即ち電気光学パネル１５０の左端側と右端側とで、図７のＢ５に示す遷移期間ＴＲＰの長さが異なり、これにより、Ｂ９に示すデータ信号ＤＱの電圧がサンプルホールドされるタイミングも異なってしまう。このようなタイミングの相違が発生すると、図６のＢ３、Ｂ４に示すように画素に書き込まれる電圧値も変動してしまい、電気光学パネル１５０の表示品質が悪化する。
【００３７】
一例としては、電気光学パネル１５０の左端側では、スイッチ信号ＳＥＬの信号レベルが急峻に変化するため、図７のＢ９のサンプルホールドのタイミングにおいて、Ｂ７に示すように、周波数応答特性が高いアンプ回路ＡＭが反応しており、データ信号ＤＱの電圧レベルが変動している。従って、変動したデータ信号ＤＱの電圧レベルが画素の電圧値として書き込まれてしまう。例えばアンプ回路ＡＭの周波数応答特性には、製造上のバラツキがあるため、このバラツキ等が原因となって、画素に書き込まれる電圧値は変動してしまう。一方、電気光学パネル１５０の右端側では、スイッチ信号ＳＥＬの電圧の遷移が緩やかであり、遷移期間ＴＲＰが長い。このため、図７のＢ９のサンプルホールドのタイミングにおいて、アンプ回路ＡＭの反応はおさまっており、画素に書き込まれる電圧値の変動は少ない。以上のことが原因となって図８に示すような表示ムラが発生し、電気光学パネル１５０の表示品質が悪化してしまう。
【００３８】
この場合に、アンプ回路ＡＭの周波数応答特性を低くしたり、図３の抵抗ＲＥの抵抗値を高くすれば、プッシュダウンノイズによるデータ信号ＤＱの変動も小さくなるため、上記した表示ムラなどの表示品質の悪化を抑制できる。しかしながら、アンプ回路ＡＭの周波数応答特性を低くしたり、保護用の抵抗ＲＥの抵抗値を高くすると、データ電圧の書き込み期間内に画素に電圧を書き込むことが難しくなってしまい、パネルの高精細化や高速駆動に対応するのが困難になる。
【００３９】
これに対して本願発明では、補償回路ＣＰＣ１、ＣＰＣｊにより、プッシュダウンノイズの補償が行われて、プッシュダウンノイズが低減され、データ信号ＤＱの電圧変動を小さくできる。従って、図８等で説明した表示ムラなどの表示品質の低下の問題を防止できる。またアンプ回路ＡＭの周波数応答特性を高くすることが可能になり、パネルの高精細化や高速駆動に対応できるようになる。例えば静電気保護が不要な製造環境で製造される場合には、図３の抵抗ＲＥを省いたり、抵抗ＲＥの抵抗値を小さくできるようになり、パネルの高精細化や高速駆動に対して更に容易に対応できるようになる。
【００４０】
３．補償回路
次に本実施形態の補償回路について詳細に説明する。図９に示すように第１の補償回路である補償回路ＣＰＣ１は、アンプ回路ＡＭ１の出力ノードＮＱ１に一端が接続されるキャパシターＣＣ１と、制御信号ＣＴに基づく出力信号ＱＢ１を、キャパシターＣＣ１の他端へ出力する信号出力回路ＣＰＱ１を含む。キャパシターＣＣ１は第１のキャパシターであり、出力信号ＱＢ１は第１の出力信号であり、信号出力回路ＣＰＱ１は第１の信号出力回路である。このような構成にすることで、制御信号ＣＴに基づいて、例えばノイズを打ち消す方向のエッジを有する出力信号ＱＢ１をキャパシターＣＣ１の他端に出力し、当該出力信号ＱＢ１のＤＣ成分をキャパシターＣＣ１によりカットしたＡＣ成分の信号を、補償信号ＣＱ１としてアンプ回路ＡＭ１の出力ノードＮＱ１に出力できるようになる。前述したように信号のエッジは、信号の立ち上がりエッジ又は立ち下がりエッジである。
【００４１】
例えば信号出力回路ＣＰＱ１は、スイッチ信号出力回路４０からの制御信号ＣＴを遅延させて反転した信号を、出力信号ＱＢ１として出力する。そしてこの出力信号ＱＢ１は、キャパシターＣＣ１によりそのＤＣ成分がカットされて、出力信号ＱＢ１のＡＣ成分に対応する信号が、第１の補償信号である補償信号ＣＱ１として、キャパシターＣＣ１の一端から出力ノードＮＱ１に対して出力される。即ちキャパシターＣＣ１はＤＣ成分をカットするＡＣカップリング用のキャパシターとして機能する。
【００４２】
前述したように制御信号ＣＴは、スイッチ信号ＳＥＬ１〜ＳＥＬ８に基づく信号であり、例えばスイッチ信号ＳＥＬ１〜ＳＥＬ８のエッジから遅れたタイミングで変化するエッジを有する信号である。信号出力回路ＣＰＱ１は、制御信号ＣＴを反転した信号を出力信号ＱＢ１として出力する。このため出力信号ＱＢ１は、スイッチ信号ＳＥＬ１〜ＳＥＬ８のエッジとは逆極性で信号レベルが変化するエッジを有する信号になる。例えば出力信号ＱＢ１は、スイッチ信号ＳＥＬ１〜ＳＥＬ８の立ち下がりエッジの変化タイミングから遅れたタイミングで変化する立ち上がりエッジを有する信号になる。そしてこの出力信号ＱＢ１の立ち上がりエッジのＡＣ成分に対応する信号が、プッシュダウンノイズの補償信号ＣＱ１として、アンプ回路ＡＭ１の出力ノードＮＱ１に出力される。このようにすることで、スイッチ信号ＳＥＬ１〜ＳＥＬ８の立ち下がりエッジにより発生するプッシュダウンノイズを、補償信号ＣＱ１の立ち上がりエッジによりキャンセルすることが可能になる。これにより、プッシュダウンノイズを低減するノイズ補償が可能になる。
【００４３】
また第１の信号出力回路である信号出力回路ＣＰＱ１は、制御信号ＣＴが入力され、制御信号ＣＴを遅延させる遅延回路ＤＥＬ１と、遅延回路ＤＥＬ１の出力信号ＱＤ１が入力され、出力信号ＱＤ１をバッファリングして、バッファリング後の出力信号ＱＤ１を出力信号ＱＢ１としてキャパシターＣＣ１の他端へ出力するバッファー回路ＢＦ１を含む。遅延回路ＤＥＬ１は第１の遅延回路であり、バッファー回路ＢＦ１は第１のバッファー回路である。このような構成とすることで、制御信号ＣＴを遅延回路ＤＥＬ１により信号遅延させた出力信号ＱＤ１をバッファー回路ＢＦ１に入力し、出力信号ＱＤ１をバッファー回路ＢＦ１によりバッファリングした出力信号ＱＢ１を、キャパシターＣＣ１の他端に出力できるようになる。
【００４４】
例えば遅延回路ＤＥＬ１での遅延時間は可変に設定可能になっている。そしてこの遅延時間の設定情報は、例えば表示ドライバー１０の不揮発性メモリーなどの記憶部に記憶しておくことができる。バッファー回路ＢＦ１は、例えば遅延回路ＤＥＬ１の出力信号ＱＤ１の反転信号に対応する信号を、出力信号ＱＢ１としてキャパシターＣＣ１の他端に出力する。またバッファー回路ＢＦ１は、例えばその駆動能力が可変になっている。バッファー回路ＢＦ１の駆動能力の設定情報も、表示ドライバー１０の不揮発性メモリーなどの記憶部に記憶しておくことができる。
【００４５】
また図９に示すように、第２の補償回路である補償回路ＣＰＣｊは、アンプ回路ＡＭｊの出力ノードＮＱｊに一端が接続されるキャパシターＣＣｊと、制御信号ＣＴに基づく出力信号ＱＢｊを、キャパシターＣＣ２の他端へ出力する信号出力回路ＣＰＱｊを含む。キャパシターＣＣｊは第２のキャパシターであり、出力信号ＱＢｊは第２の出力信号である。このような構成にすることで、制御信号ＣＴに基づいて、例えばノイズを打ち消す方向のエッジを有する出力信号ＱＢｊをキャパシターＣＣｊの他端に出力し、当該出力信号ＱＢｊのＤＣ成分をキャパシターＣＣｊによりカットしたＡＣ成分の信号を、補償信号ＣＱｊとしてアンプ回路ＡＭｊの出力ノードＮＱｊに出力できるようになる。
【００４６】
例えば信号出力回路ＣＰＱｊは、制御信号ＣＴを遅延させて反転した信号を、出力信号ＱＢｊとして出力する。そしてこの出力信号ＱＢｊは、キャパシターＣＣｊによりそのＤＣ成分がカットされて、出力信号ＱＢｊのＡＣ成分に対応する信号が、第２の補償信号である補償信号ＣＱｊとして、キャパシターＣＣｊの一端から出力ノードＮＱｊに対して出力される。
【００４７】
そして制御信号ＣＴは、例えばスイッチ信号ＳＥＬ１〜ＳＥＬ８のエッジから遅れたタイミングで変化するエッジを有する信号であり、信号出力回路ＣＰＱｊは、制御信号ＣＴを反転した信号を出力信号ＱＢｊとして出力する。このため出力信号ＱＢｊは、スイッチ信号ＳＥＬ１〜ＳＥＬ８のエッジとは逆極性で信号レベルが変化するエッジを有する信号になる。例えば出力信号ＱＢｊは、スイッチ信号ＳＥＬ１〜ＳＥＬ８の立ち下がりエッジの変化タイミングから遅れたタイミングで変化する立ち上がりエッジを有する信号になる。そしてこの出力信号ＱＢｊの立ち上がりエッジのＡＣ成分に対応する信号が、プッシュダウンノイズの補償信号ＣＱｊとして、アンプ回路ＡＭｊの出力ノードＮＱｊに出力される。このようにすることで、スイッチ信号ＳＥＬ１〜ＳＥＬ８の立ち下がりエッジにより発生するプッシュダウンノイズを、補償信号ＣＱｊの立ち上がりエッジによりキャンセルすることが可能になる。
【００４８】
ここで第１の出力信号である出力信号ＱＢ１は、制御信号ＣＴを第１の遅延時間だけ遅延した信号である。一方、第２の出力信号である出力信号ＱＢｊは、制御信号ＣＴを、第１の遅延時間とは異なる第２の遅延時間だけ遅延した信号である。例えば前述したように出力信号ＱＢ１、ＱＢｊは、制御信号ＣＴのエッジから遅れたタイミングで変化するエッジを有する。そして制御信号ＣＴのエッジから出力信号ＱＢ１のエッジまでの時間が第１の遅延時間に対応し、制御信号ＣＴのエッジから出力信号ＱＢｊのエッジまでの時間が第２の遅延時間に対応し、これらの第１、第２の遅延時間が互いに異なっている。
【００４９】
例えば前述の図８では、スイッチ信号ＳＥＬが入力される側である電気光学パネル１５０の左端側では、スイッチ信号ＳＥＬの立ち下がりエッジにおいて信号レベルが急峻に立ち下がる。これに対して電気光学パネル１５０の右端側では、スイッチ信号ＳＥＬの波形が鈍り、その立ち下がりエッジにおいて信号レベルがゆっくりと変化している。このため、スイッチ信号ＳＥＬの立ち下がりエッジで発生するプッシュダウンノイズをキャンセルするために、電気光学パネル１５０の左端側に対応する補償回路ＣＰＣ１の遅延回路ＤＥＬ１の第１の遅延時間については短くする。即ち、信号レベルが急峻に変化することで、Ｌレベルになるまでの遷移時間が短くなる左端側のスイッチ信号ＳＥＬの波形に対応させて、第１の遅延時間を短くする。一方、電気光学パネル１５０の右端側に対応する補償回路ＣＰＣｊの遅延回路ＤＥＬｊの第２の遅延時間については長くする。即ち、信号レベルがゆっくりと変化することで、Ｌレベルになるまでの遷移時間が長くなる右端側のスイッチ信号ＳＥＬの波形に対応させて、第２の遅延時間を長くする。このようにすることで、電気光学パネル１５０でのスイッチ信号ＳＥＬの信号波形に応じた遅延時間を設定できるようになり、適切なノイズ補償を実現できるようになる。
【００５０】
また第２の信号出力回路である信号出力回路ＣＰＱｊは、制御信号ＣＴが入力され、制御信号ＣＴを遅延させる遅延回路ＤＥＬｊと、遅延回路ＤＥＬｊの出力信号ＱＤｊが入力され、出力信号ＱＤｊをバッファリングして、バッファリング後の出力信号ＱＤｊを出力信号ＱＢｊとしてキャパシターＣＣｊの他端へ出力するバッファー回路ＢＦｊを含む。遅延回路ＤＥＬｊは第２の遅延回路であり、バッファー回路ＢＦｊは第２のバッファー回路である。このような構成とすることで、制御信号ＣＴを遅延回路ＤＥＬｊにより信号遅延させた出力信号ＱＤｊをバッファー回路ＢＦｊに入力し、出力信号ＱＤｊをバッファー回路ＢＦｊによりバッファリングした出力信号ＱＢｊを、キャパシターＣＣｊの他端に出力できるようになる。
【００５１】
例えば遅延回路ＤＥＬｊでの遅延時間は可変に設定可能になっている。そしてこの遅延時間の設定情報は、例えば表示ドライバー１０の不揮発性メモリーなどの記憶部に記憶しておくことができる。またバッファー回路ＢＦｊは、例えば遅延回路ＤＥＬｊの出力信号ＱＤｊの反転信号に対応する信号を、出力信号ＱＢｊとしてキャパシターＣＣｊの他端に出力する。バッファー回路ＢＦｊは、例えばその駆動能力が可変になっている。バッファー回路ＢＦｊの駆動能力の設定情報も、表示ドライバー１０の不揮発性メモリーなどの記憶部に記憶しておくことができる。
【００５２】
また第１のバッファー回路であるバッファー回路ＢＦ１は第１の駆動能力で出力信号ＱＢ１を出力する。一方、第２のバッファー回路であるバッファー回路ＢＦｊは、第１の駆動能力と異なる第２の駆動能力で出力信号ＱＢｊを出力する。即ちバッファー回路ＢＦ１とバッファー回路ＢＦｊの駆動能力は異なっており、一方のバッファー回路の方が他方のバッファー回路よりも高い駆動能力で出力信号を出力している。
【００５３】
例えば図８では、電気光学パネル１５０の左端側では、スイッチ信号ＳＥＬの信号レベルの変化が急峻であるのに対して、右端側では、信号レベルの変化が鈍っている。そこでこのスイッチ信号ＳＥＬの信号波形に合わせて、電気光学パネル１５０の左端側に対応する補償回路ＣＰＣ１のバッファー回路ＢＦ１の第１の駆動能力については高くする。即ち、信号レベルが急峻に変化する左端側のスイッチ信号ＳＥＬの波形に対応させて、バッファー回路ＢＦ１の駆動能力を高くして、その出力信号ＱＢ１の信号レベルを急峻に変化させる。一方、電気光学パネル１５０の右端側に対応する補償回路ＣＰＣｊのバッファー回路ＢＦｊの第２の駆動能力については低くする。即ち、信号レベルがゆっくりと変化する右端側のスイッチ信号ＳＥＬの波形に対応させて、バッファー回路ＢＦｊの駆動能力を低くして、その出力信号ＱＢｊの信号レベルをゆっくりと変化させる。このようにすることで、電気光学パネル１５０でのスイッチ信号ＳＥＬの信号波形に応じた駆動能力を設定できるようになり、適切なノイズ補償を実現できるようになる。
【００５４】
また第１の遅延回路である遅延回路ＤＥＬ１は、第１の遅延時間で制御信号ＣＴを遅延させる。即ち遅延回路ＤＥＬ１は、制御信号ＣＴを第１の遅延時間で遅延させた信号を、出力信号ＱＤ１としてバッファー回路ＢＦ１に出力する。一方、第２の遅延回路である遅延回路ＤＥＬｊは、第１の遅延時間とは異なる第２の遅延時間で制御信号ＣＴを遅延させる。即ち遅延回路ＤＥＬｊは、制御信号ＣＴを第２の遅延時間で遅延させた信号を、出力信号ＱＤｊとしてバッファー回路ＢＦｊに出力する。例えば前述したように遅延回路ＤＥＬ１、ＤＥＬｊの第１、第２の遅延時間の設定情報は、表示ドライバー１０の不揮発性メモリー等の記憶部に記憶される。この場合に記憶部は、これらの第１、第２の遅延時間が異なるように遅延時間の設定情報を記憶する。図８の場合の例にとれば、第２の遅延時間の方が第１の遅延時間よりも長くなるように、遅延時間を設定する。このようにすることで、電気光学パネル１５０でのスイッチ信号ＳＥＬの信号波形に応じた遅延時間を設定できるようになり、適切なノイズ補償を実現できるようになる。
【００５５】
図１０は補償回路ＣＰＣ１、ＣＰＣｊの動作説明図である。ＳＥＬはスイッチ信号であり、ＰＳＥＬは、電気光学パネル１５０内で寄生抵抗や寄生容量により遅延したスイッチ信号に対応する。ＤＳＥＬは、表示ドライバー１０において遅延させたスイッチ信号に対応し、補償回路ＣＰＣ１、ＣＰＣｊの遅延回路ＤＥＬ１、ＤＥＬｊの出力信号ＱＢ１、ＱＢｊに対応する。即ち遅延回路ＤＥＬ１、ＤＥＬｊは、電気光学パネル１５０内でのＰＳＥＬと同様の遅延時間で遅延するＤＳＥＬに対応する出力信号ＱＢ１、ＱＢｊを出力する。例えば電気光学パネル１５０の各場所に配置されたスイッチ回路でのプッシュダウンノイズは、図１０のＰＳＥＬの立ち下がりエッジのタイミングで発生する。従って、遅延回路ＤＥＬ１、ＤＥＬｊがＤＳＥＬに対応する信号遅延の出力信号ＱＢ１、ＱＢｊを出力することで、ＰＳＥＬの立ち下がりエッジで発生したプッシュダウンノイズをキャンセルできるようになる。即ち、ＤＳＥＬの立ち下がりエッジのタイミングにおいて、立ち下がりエッジとは逆極性の信号変化である立ち上がりエッジを有する補償信号ＣＱ１、ＣＱｊを、補償回路ＣＰＣ１、ＣＰＣｊが出力することで、図１０のＣ１に示すように、ノイズを低減するノイズ補償が可能になる。例えばＰＳＥＬの立ち下がりエッジのタイミングにおいて、図７のＢ６に示すように負極性の方向に変化するプッシュダウンノイズが発生する。このタイミングにおいて、補償信号ＣＱ１、ＣＱｊの立ち上がりエッジでは、正極性の方向に信号レベルが変化するため、負極性の方向に変化するプッシュダウンノイズをキャンセルすることが可能になる。
【００５６】
例えば図１０のＣ１において、ノイズ補償の機能をオンにした場合には、ノイズ補償の機能がオフである場合に比べて、プッシュダウンノイズを原因とするデータ信号ＤＱの信号レベルの変動を十分に低減できる。これにより、表示品質を向上できると共にパネルの高精細化や高速駆動への対応が可能な表示ドライバー１０を実現できるようになる。
【００５７】
図１１に遅延回路ＤＥＬ、バッファー回路ＢＦの構成例を示す。遅延回路ＤＥＬは図９の遅延回路ＤＥＬ１、ＤＥＬｊに対応し、バッファー回路ＢＦはバッファー回路ＢＦ１、ＢＦｊに対応する。バッファー回路ＢＦは、複数のインバーター回路ＩＶ１〜ＩＶｋを多段に接続した構成になっている。ここでｋは２以上の整数である。そしてインバーター回路ＩＶ１〜ＩＶｋの接続段数であるｋを可変に設定できるようにすることで、遅延回路ＤＥＬでの遅延時間を可変に設定できる。例えば接続段数ｋを多くすることで、遅延時間を長くできる。
【００５８】
バッファー回路ＢＦは、駆動能力が可変のバッファー回路であり、Ｐ型のトランジスターＴＣ１〜ＴＣｉ、ＴＤ１〜ＴＤｉと、Ｎ型のトランジスターＴＮを有する。ここでｉは２以上の整数である。トランジスターＴＣ１〜ＴＣｉは、ソースにＶＤＤが供給され、ゲートにバイアス電圧ＶＢが印加される。トランジスターＴＤ１〜ＴＤｉは、トランジスターＴＣ１〜ＴＣｉのドレインにソースが接続され、ゲートに遅延回路ＤＥＬの出力信号が入力される。トランジスターＴＮは、ドレインにトランジスターＴＤ１〜ＴＤｉのドレインが接続され、ソースにＶＳＳが供給される。そしてＰ型のトランジスターＴＤ１〜ＴＤｉ及びＴＣ１〜ＴＣｉのペアの段数ｉを可変に設定できるようにすることで、バッファー回路ＢＦの駆動能力を可変に設定できる。例えばＰ型トランジスターのペアの段数ｉを多くすることで、ＶＤＤ側に電圧を変化させる際の駆動能力を高くできる。
【００５９】
図１２は補償回路ＣＰＣ１、ＣＰＣｊでの遅延時間や駆動能力の設定手法についての説明図である。図１２のＤ１では、遅延時間が短い時間に設定され、駆動能力も高い能力に設定されている。Ｄ２では、駆動能力についてはＤ１と同等であるが、遅延時間がＤ１に比べて長い時間に設定されている。Ｄ３では、遅延時間についてはＤ２と同等であるが、駆動能力がＤ１、Ｄ２に比べて低い能力に設定されている。このように遅延時間や駆動能力を可変に変化させることで、スイッチ信号ＳＥＬの信号波形に応じた信号波形の補償信号ＣＱ１、ＣＱｊを出力できるようになり、適切なノイズ補償を実現できるようになる。
【００６０】
図１３は、本実施形態のノイズ補償手法の効果についての説明図である。プッシュダウンノイズの発生タイミングにおいて、図９の信号出力回路ＣＰＱ１、ＣＰＱｊの出力信号ＱＢ１、ＱＢｊは、正極性方向に信号レベルが変化する立ち上がりエッジを有する。この出力信号ＱＢ１、ＱＢｊの立ち上がりエッジによる正極性方向の電圧変化が、図１３に示すようにキャパシターＣＣ１、ＣＣｊの容量を介してアンプ回路ＡＭ１、ＡＭｊの出力ノードＮＱ１、ＮＱｊに伝達される。そしてノイズ補償がオンの場合には、この容量による正極性方向の電圧変化が、プッシュダウンノイズに重畳される。これにより、図１３に示すように、ノイズ補償がオンの場合のデータ信号ＤＱの信号レベルの変動幅ＲＧＢを、ノイズ補償がオフの場合の変動幅ＲＧＡに比べて小さくできる。即ち、プッシュダウンノイズによる悪影響を低減できる。
【００６１】
また、このようにプッシュダウンノイズによる信号レベルの変動幅が小さくなることで、図１４に示すように、画素に書き込まれる電圧値の変動幅も小さくできる。即ち、ノイズ補償の機能がオフの場合には、画素に書き込まれる電圧値の変動幅がＲＧＣというように大きくなるが、ノイズ補償の機能をオンにすると、変動幅がＲＧＤとなり、ＲＧＣよりも小さくなる。これにより表示品質の向上を図れる。即ち、ノイズ補償を行うことで、アンプ回路ＡＭの出力信号の変動が小さくなり、電気光学パネル１５０の画素に書き込まれる電圧値のバラツキが小さくなる。これにより図８に示すような表示ムラ等の発生が抑制され、表示品質を向上できるようになる。
【００６２】
４．詳細な構成例
図１５に表示ドライバー１０、電気光学パネル１５０の詳細な構成例を示す。表示ドライバー１０の補償回路ＣＰＣ１、ＣＰＣｊ、ＣＰＣｎは、図９で説明したように、遅延回路ＤＥＬ１、ＤＥＬｊ、ＤＥＬｎ、バッファー回路ＢＦ１、ＢＦｊ、ＢＦｎ、キャパシターＣＣ１、ＣＣｊ、ＣＣｎを含む。またスイッチ信号出力回路４０は、スイッチ信号ＳＥＬ１〜ＳＥＬ８を生成するスイッチ信号生成回路４２と、論理和回路であるＯＲ回路４４を含む。本実施形態ではスイッチ信号出力回路４０は、スイッチ回路ＳＷＣ１等のスイッチ素子群をオン、オフするＳＥＬ１〜ＳＥＬ８のスイッチ信号群に基づいて生成された制御信号ＣＴを出力する。具体的にはＯＲ回路４４に対して、スイッチ信号群であるスイッチ信号ＳＥＬ１〜ＳＥＬ８が入力され、ＯＲ回路４４の出力信号が制御信号ＣＴとして、補償回路ＣＰＣ１、ＣＰＣｊ、ＣＰＣｎに出力される。
【００６３】
電気光学パネル１５０のスイッチ回路ＳＷＣ１、ＳＷＣｊ、ＳＷＣｎは、図３で説明したようにトランジスターで構成されるスイッチ素子群を有する。これらのスイッチ素子群の各スイッチ素子は、ＳＥＬ１〜ＳＥＬ８のうちの対応するスイッチ信号によりオン、オフされる。これによりデマルチ駆動が実現される。
【００６４】
図１５のＥ１、Ｅ２、Ｅ３に示すように、電気光学パネル１５０では、スイッチ信号入力端子ＴＢ１〜ＴＢ８からの距離が遠くなるにつれて、スイッチ信号ＳＥＬに信号遅延が発生すると共に信号波形が鈍ってくる。スイッチ信号ＳＥＬはスイッチ信号ＳＥＬ１〜ＳＥＬ８を表すものである。そしてＥ４、Ｅ５、Ｅ６に示すように、補償回路ＣＰＣ１、ＣＰＣｊ、ＣＰＣｎは、Ｅ１、Ｅ２、Ｅ３のスイッチ信号ＳＥＬの反転信号に対応する補償信号ＣＱ１、ＣＱｊ、ＣＱｎを出力する。これらのＥ４、Ｅ５、Ｅ６に示す補償信号ＣＱ１、ＣＱｊ、ＣＱｎは、Ｅ１、Ｅ２、Ｅ３に示す電気光学パネル１５０でのスイッチ信号ＳＥＬと同様の遅延時間で信号遅延した信号になっていると共に同様の信号波形になっている。この場合の信号遅延は、遅延回路ＤＥＬ１、ＤＥＬｊ、ＤＥＬｎでの遅延時間の設定により実現され、信号波形は、バッファー回路ＢＦ１、ＢＦｊ、ＢＦｎでの駆動能力の設定により実現される。このような信号遅延、信号波形の補償信号ＣＱ１、ＣＱｊ、ＣＱｎを用いてノイズ補償を行うことで、図８に示す表示ムラ等の発生を効果的に防止でき、表示品質を大幅に向上できるようになる。
【００６５】
図１６は制御信号ＣＴについての説明図である。本実施形態ではスイッチ信号出力回路４０は、スイッチ回路ＳＷＣ１〜ＳＷＣｎのスイッチ素子群をオン、オフするＳＥＬ１〜ＳＥＬ８のスイッチ信号群に基づいて生成された制御信号ＣＴを出力する。具体的には図１６では、図１５のＯＲ回路４４によりスイッチ信号ＳＥＬ１〜ＳＥＬ８の論理和をとることで、制御信号ＣＴが生成される。図７に示すようにプッシュダウンノイズは、電気光学パネル１５０でのスイッチ信号ＳＥＬ１〜ＳＥＬ８の立ち下がりエッジのタイミングで発生する。具体的にはスイッチ回路ＳＷＣ１〜ＳＷＣｎの各々は、スイッチ素子群として、スイッチ信号ＳＥＬ１〜ＳＥＬ８によりオン、オフされる第１〜第８のスイッチ素子を有する。そしてスイッチ信号ＳＥＬ１〜ＳＥＬ８がＨレベルからＬレベルに変化して、第１〜第８のスイッチ素子の各スイッチ素子がオンからオフになる遷移期間において、プッシュダウンノイズが発生する。
【００６６】
一方、図１５に示すように制御信号ＣＴは、補償回路ＣＰＣ１〜ＣＰＣｎのバッファー回路ＢＦ１〜ＢＦｎにより信号レベルが信号反転される。即ちバッファー回路ＢＦ１〜ＢＦｎはインバーター回路として動作する。従って、補償回路ＣＰＣ１〜ＣＰＣｎが制御信号ＣＴに基づき生成する補償信号ＣＱ１〜ＣＱｎは、制御信号ＣＴの立ち下がりエッジに対応するタイミングにおいて、立ち上がりエッジを有する信号になる。具体的には補償信号ＣＱ１〜ＣＱｎは、制御信号ＣＴの立ち下がりエッジから遅延回路ＤＥＬ１〜ＤＥＬｎでの遅延時間だけ遅れたタイミングにおいて、立ち上がりエッジを有する信号になる。従って、電気光学パネル１５０でのスイッチ信号ＳＥＬの立ち下がりエッジで生じた負極性のプッシュダウンノイズを、補償信号ＣＱ１〜ＣＱｎの立ち上がりエッジによってキャンセルして低減することが可能になり、ノイズ補償を実現できるようになる。
【００６７】
なお図１５、図１６では、制御信号ＣＴの立ち上がりエッジに対応するタイミングにおいて、補償信号ＣＱ１〜ＣＱｎが立ち下がりエッジを有するため、この立ち下がりエッジにより、アンプ回路ＡＭ１〜ＡＭｎの出力ノードＮＱ１〜ＮＱｎの信号レベルが負極側に変化してしまう。即ち、制御信号ＣＴの立ち上がりエッジに対応するタイミングにおいて、出力ノードＮＱ１〜ＮＱｎの信号レベルが変化してしまう。しかしながら、画素への書き込み電圧がサンプルホールドされるタイミングは、スイッチ信号ＳＥＬ１〜ＳＥＬ８の立ち下がりエッジのタイミングであり、制御信号ＣＴの立ち下がりエッジのタイミングである。従って、制御信号ＣＴの立ち上がりエッジに対応するタイミングにおいて、出力ノードＮＱ１〜ＮＱｎの信号レベルが変化しても、画素に誤った電圧が書き込まれることはないことになる。
【００６８】
５．電気光学装置、電子機器、移動体
図１７に本実施形態の電気光学装置１６０の構成例を示す。電気光学装置１６０は、本実施形態の表示ドライバー１０と電気光学パネル１５０を含む。例えば表示ドライバー１０はフレキシブル基板に実装され、そのフレキシブル基板が電気光学パネル１５０に接続され、フレキシブル基板に形成された配線によって、表示ドライバー１０の画像信号出力端子であるデータ信号出力端子と、電気光学パネル１５０の画像信号入力端子であるデータ信号入力端子とが接続される。或いは、表示ドライバー１０はリジッド基板に実装され、リジッド基板と電気光学パネル１５０とがフレキシブル基板により接続され、フレキシブル基板に形成された配線によって表示ドライバー１０のデータ信号出力端子と電気光学パネル１５０のデータ信号入力端子とが接続されてもよい。
【００６９】
図１８に本実施形態の表示ドライバー１０を含む電子機器３００の構成例を示す。電子機器３００は、表示ドライバー１０、電気光学パネル１５０、表示コントローラー１１０、処理装置３１０、メモリー３２０、操作インターフェース３３０、通信インターフェース３４０を含む。回路装置である表示ドライバー１０と電気光学パネル１５０とにより、電気光学装置１６０が構成される。電子機器３００の具体例としては、例えばメーターパネルなどのパネル機器やカーナビゲーションシステム等の車載機器、プロジェクター、ヘッドマウントディスプレイ、印刷装置、携帯情報端末、携帯型ゲーム端末、ロボット、或いは情報処理装置などの種々の電子機器がある。
【００７０】
表示コントローラー１１０は、表示ドライバー１０のタイミング制御などの各種の制御を行ったり、表示ドライバー１０に対して表示データである画像データを供給したり、画像データに対する画像処理を行う。処理装置３１０は、電子機器３００の制御処理や、種々の信号処理等を行う。処理装置３１０は例えば外部デバイスであるホストである。処理装置３１０は、例えばＣＰＵやＭＰＵ等のプロセッサー、或いはＡＳＩＣ等により実現できる。メモリー３２０は、例えば操作インターフェース３３０や通信インターフェース３４０からのデータを記憶したり、或いは、処理装置３１０のワークメモリーとして機能する。メモリー３２０は、例えばＲＡＭやＲＯＭ等の半導体メモリー、或いはハードディスクドライブ等の磁気記憶装置により実現できる。操作インターフェース３３０は、ユーザーからの種々の操作を受け付けるユーザーインターフェースである。例えば操作インターフェース３３０は、ボタンやマウスやキーボード、或いは電気光学パネル１５０に装着されたタッチパネル等により実現できる。通信インターフェース３４０は、画像データや制御データの通信を行うインターフェースである。通信インターフェース３４０の通信処理は、有線の通信処理であってもよいし、無線の通信処理であってもよい。
【００７１】
なお電子機器３００がプロジェクターである場合には、光源と光学系を有する投影部が設けられる。光源は、例えばハロゲンランプ等の白色光源からなるランプユニットなどにより実現される。光学系は、例えばレンズ、プリズム又はミラー等により実現される。電気光学パネル１５０が透過型である場合、光源からの光を光学系を介して電気光学パネル１５０に入射させ、電気光学パネル１５０を透過した光をスクリーンに投影させる。電気光学パネル１５０が反射型である場合、光源からの光を光学系を介して電気光学パネル１５０に入射させ、電気光学パネル１５０から反射された光をスクリーンに投影させる。
【００７２】
図１９に、本実施形態の表示ドライバー１０を含む移動体の構成例を示す。移動体は、例えばエンジンやモーター等の駆動機構、ハンドルや舵等の操舵機構、各種の電子機器を備えて、地上や空や海上を移動する機器又は装置である。本実施形態の移動体として、例えば、車、飛行機、バイク、船舶、或いはロボット等を想定できる。図１９は移動体の具体例としての自動車２０６を概略的に示している。自動車２０６は、車体２０７や車輪２０９を有する。自動車２０６には、表示ドライバー１０を有する表示装置２２０と、自動車２０６の各部を制御する制御装置２１０が組み込まれている。制御装置２１０は例えばＥＣＵ（Electronic Control Unit）などを含むことができる。表示装置２２０は電気光学装置１６０により実現されるものであり、例えばメーターパネル等のパネル機器である。制御装置２１０は、ユーザーに提示するための画像を生成し、その画像を表示装置２２０に送信する。表示装置２２０は、受信した画像を表示装置２２０の表示部に表示する。例えば車速や燃料残量、走行距離、各種装置の設定等の情報が画像として表示される。
【００７３】
以上に説明したように本実施形態の表示ドライバーは、第１のデータ信号出力端子と、第１のデータ信号出力端子に対してデータ信号を出力する第１のアンプ回路と、第１のアンプ回路の出力ノードに接続される第１の補償回路と、電気光学パネルの第１のデータ信号入力端子と第１のデータ線群との間に設けられ、スイッチ素子群を有する電気光学パネルの第１のスイッチ回路に対して、スイッチ信号を出力するスイッチ信号出力回路を含む。そして第１の補償回路は、スイッチ信号により第１のスイッチ回路のスイッチ素子がオフされる際に第１のスイッチ回路のスイッチ素子から第１のデータ信号出力端子に入力されるノイズを、スイッチ信号出力回路からの制御信号に基づいて補償する。
【００７４】
本実施形態によれば、第１のアンプ回路が第１のデータ信号出力端子に対してデータ信号を出力することで電気光学パネルが駆動される。また電気光学パネルには、第１のデータ信号入力端子と第１のデータ線群との間に第１のスイッチ回路が設けられ、第１のスイッチ回路のスイッチ素子は、表示ドライバーのスイッチ信号出力回路からのスイッチ信号によりオン、オフされる。そして本実施形態では、第１のアンプ回路の出力ノードに対して第１の補償回路が設けられる。この第１の補償回路は、第１のスイッチ回路のスイッチ素子がオフされる際に、当該スイッチ素子から第１のデータ信号出力端子に入力されるノイズを、スイッチ信号出力回路からの制御信号に基づいて補償する。このようにすれば、電気光学パネルの第１のスイッチ回路のスイッチ素子がオンからオフになることでノイズが発生し、このノイズが、表示ドライバーの第１のデータ信号出力端子を介して第１のアンプ回路の出力ノードに伝達された場合にも、当該ノイズを低減するノイズ補償が第１の補償回路により行われるようになる。従って、電気光学パネルの第１のスイッチ回路において発生するノイズの悪影響を低減でき、表示品質の向上等を図れるようになる。
【００７５】
また本実施形態では、第１の補償回路は、第１のアンプ回路の出力ノードに一端が接続される第１のキャパシターと、制御信号に基づく第１の出力信号を、第１のキャパシターの他端へ出力する第１の信号出力回路と、を有してもよい。
【００７６】
このようにすれば、制御信号に基づく第１の出力信号を第１のキャパシターの他端に出力し、第１の出力信号のＡＣ成分の信号を、ノイズ補償のための信号として、第１のアンプ回路の出力ノードに出力できるようになる。
【００７７】
また本実施形態では、第１の信号出力回路は、制御信号が入力され、制御信号を遅延させる第１の遅延回路と、第１の遅延回路の出力信号が入力され、出力信号をバッファリングして、バッファリング後の出力信号を第１の出力信号として第１のキャパシターの他端へ出力する第１のバッファー回路と、を含んでもよい。
【００７８】
このようにすれば、制御信号を第１の遅延回路により信号遅延させた出力信号を第１のバッファー回路に入力し、出力信号を第１のバッファー回路によりバッファリングした第１の出力信号を、第１のキャパシターの他端に出力できるようになる。
【００７９】
また本実施形態では、第２のデータ信号出力端子と、第２のデータ信号出力端子に対してデータ信号を出力する第２のアンプ回路と、第２のアンプ回路の出力ノードに接続される第２の補償回路と、を含んでもよい。またスイッチ信号出力回路は、電気光学パネルの第２のデータ信号入力端子と第２のデータ線群との間に設けられ、スイッチ素子群を有する電気光学パネルの第２のスイッチ回路に対して、スイッチ信号を出力してもよい。そして第２の補償回路は、スイッチ信号により第２のスイッチ回路のスイッチ素子がオフされる際に第２のスイッチ回路のスイッチ素子から第２のデータ信号出力端子に入力されるノイズを、スイッチ信号出力回路からの制御信号に基づいて補償してもよい。
【００８０】
このようにすれば、第２のアンプ回路が第２のデータ信号出力端子に対してデータ信号を出力することで電気光学パネルが駆動されるようになる。また電気光学パネルには、第２のデータ信号入力端子と第２のデータ線群との間に第２のスイッチ回路が設けられ、第２のスイッチ回路のスイッチ素子は、スイッチ信号出力回路からのスイッチ信号によりオン、オフされるようになる。そして本実施形態では、第２のアンプ回路の出力ノードに対して第２の補償回路が設けられる。この第２の補償回路は、第２のスイッチ回路のスイッチ素子がオフされる際に、当該スイッチ素子から第２のデータ信号出力端子に入力されるノイズを、スイッチ信号出力回路からの制御信号に基づいて補償する。このようにすれば、電気光学パネルの第２のスイッチ回路のスイッチ素子がオンからオフになることでノイズが発生し、このノイズが、表示ドライバーの第２のデータ信号出力端子を介して第２のアンプ回路の出力ノードに伝達された場合にも、当該ノイズを低減するノイズ補償が第２の補償回路により行われるようになる。従って、電気光学パネルの第２のスイッチ回路において発生するノイズの悪影響を低減でき、表示品質の向上を図れるようになる。
【００８１】
また本実施形態では、第１の補償回路は、第１のアンプ回路の出力ノードに一端が接続される第１のキャパシターと、制御信号に基づく第１の出力信号を、第１のキャパシターの他端へ出力する第１の信号出力回路と、を含んでもよい。また第２の補償回路は、第２のアンプ回路の出力ノードに一端が接続される第２のキャパシターと、制御信号に基づく第２の出力信号を、第２のキャパシターの他端へ出力する第２の信号出力回路と、を含んでもよい。
【００８２】
このようにすれば、制御信号に基づく第１の出力信号を第１のキャパシターの他端に出力し、第１の出力信号のＡＣ成分の信号を、ノイズ補償のための信号として、第１のアンプ回路の出力ノードに出力できるようになる。また制御信号に基づく第２の出力信号を第２のキャパシターの他端に出力し、第２の出力信号のＡＣ成分の信号を、ノイズ補償のための信号として、第２のアンプ回路の出力ノードに出力できるようになる。
【００８３】
また本実施形態では、第１の出力信号は、制御信号を第１の遅延時間だけ遅延した信号であり、第２の出力信号は、制御信号を、第１の遅延時間とは異なる第２の遅延時間だけ遅延した信号であってもよい。
【００８４】
このようにすれば、電気光学パネルでのスイッチ信号の信号波形に応じた遅延時間を設定できるようになり、適切なノイズ補償を実現できるようになる。
【００８５】
また本実施形態では、第１の信号出力回路は、制御信号が入力され、制御信号を遅延させる第１の遅延回路と、第１の遅延回路の出力信号が入力され、出力信号をバッファリングして、バッファリング後の出力信号を第１の出力信号として第１のキャパシターの他端へ出力する第１のバッファー回路と、を含んでもよい。また第２の信号出力回路は、制御信号が入力され、制御信号を遅延させる第２の遅延回路と、第２の遅延回路の出力信号が入力され、出力信号をバッファリングして、バッファリング後の出力信号を第２の出力信号として第２のキャパシターの他端へ出力する第２のバッファー回路と、を含んでもよい。
【００８６】
このようにすれば、制御信号を第１の遅延回路により信号遅延させた出力信号を第１のバッファー回路に入力し、出力信号を第１のバッファー回路によりバッファリングした第１の出力信号を、第１のキャパシターの他端に出力できるようになる。また制御信号を第２の遅延回路により信号遅延させた出力信号を第２のバッファー回路に入力し、出力信号を第２のバッファー回路によりバッファリングした第２の出力信号を、第２のキャパシターの他端に出力できるようになる。
【００８７】
また本実施形態では、第１のバッファー回路は第１の駆動能力で第１の出力信号を出力し、第２のバッファー回路は第１の駆動能力と異なる第２の駆動能力で第２の出力信号を出力してもよい。
【００８８】
このようにすれば、電気光学パネルでのスイッチ信号の信号波形に応じた駆動能力を設定できるようになり、適切なノイズ補償を実現できるようになる。
【００８９】
また本実施形態では、第１の遅延回路は、第１の遅延時間で制御信号を遅延させ、第２の遅延回路は、第１の遅延時間とは異なる第２の遅延時間で制御信号を遅延させてもよい。
【００９０】
このようにすれば、電気光学パネルでのスイッチ信号の信号波形に応じた遅延時間を設定できるようになり、適切なノイズ補償を実現できるようになる。
【００９１】
また本実施形態では、スイッチ信号出力回路は、第１のスイッチ回路のスイッチ素子群をオン、オフするスイッチ信号群に基づいて生成された制御信号を出力してもよい。
【００９２】
このようにすれば、スイッチ信号群のスイッチ信号のエッジで発生したノイズを、スイッチ信号群に基づき生成された制御信号を利用して低減できるようになり、好適なノイズ補償の実現が可能になる。
【００９３】
また本実施形態は、上記に記載の表示ドライバーと、表示ドライバーにより駆動される電気光学パネルと、を含む電気光学装置に関係する。
【００９４】
また本実施形態は、上記に記載の表示ドライバーを含む電子機器に関係する。
【００９５】
また本実施形態は、上記に記載の表示ドライバーを含む移動体に関係する。
【００９６】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また表示ドライバー、電気光学装置、電気光学パネル、電子機器、移動体等の構成・動作も本実施形態で説明したものに限定されず、種々の変形実施が可能である。
【符号の説明】
【００９７】
ＡＭ１〜ＡＭｎ、ＡＭ…アンプ回路、ＣＰＣ１〜ＣＰＣｎ…補償回路、
ＴＱ１〜ＴＱｎ、ＴＱ…データ信号出力端子、ＤＱ１〜ＤＱｎ、ＤＱ…データ信号、
ＮＱ１〜ＮＱｎ…出力ノード、ＳＥＬ１〜ＳＥＬ８、ＳＥＬ…スイッチ信号、
ＣＴ…制御信号、ＴＡ１〜ＴＡ８…スイッチ信号出力端子、
ＴＩ１〜ＴＩｎ、ＴＩ…データ信号入力端子、ＴＢ１〜ＴＢ８…スイッチ信号入力端子、
ＳＷＣ１〜ＳＷＣｎ、ＳＷＣ…スイッチ回路、Ｓ１１〜Ｓｎ８…データ線、
Ｇ１〜Ｇｍ…走査線、ＤＡＣ１〜ＤＡＣｎ…Ｄ／Ａ変換器、
ＳＷ１〜ＳＷ８…スイッチ素子、ＣＰＱ１〜ＣＰＱｎ…信号出力回路、
ＤＥＬ１〜ＤＥＬｎ、ＤＥＬ…遅延回路、ＢＦ１〜ＢＦｎ、ＢＦ…バッファー回路、
ＣＣ１〜ＣＣｎ…キャパシター、ＣＱ１〜ＣＱｎ…補償信号、
１０…表示ドライバー、２０…駆動回路、３０…Ｄ／Ａ変換回路、
３２…階調電圧生成回路、３４…多重化回路、４０…スイッチ信号出力回路、
４２…スイッチ信号生成回路、４４…ＯＲ回路、５０…処理回路、
６０…インターフェース回路、
１１０…表示コントローラー、１５０…電気光学パネル、１６０…電気光学装置、
２０６…自動車、２０７…車体、２０９…車輪、２１０…制御装置、２２０…表示装置、
３００…電子機器、３１０…処理装置、３２０…メモリー、
３３０…操作インターフェース、３４０…通信インターフェース
【図１】
2020042179.tif 000003
【図２】
2020042179.tif 000004
【図３】
2020042179.tif 000005
【図４】
2020042179.tif 000006
【図５】
2020042179.tif 000007
【図６】
2020042179.tif 000008
【図７】
2020042179.tif 000009
【図８】
2020042179.tif 000010
【図９】
2020042179.tif 000011
【図１０】
2020042179.tif 000012
【図１１】
2020042179.tif 000013
【図１２】
2020042179.tif 000014
【図１３】
2020042179.tif 000015
【図１４】
2020042179.tif 000016
【図１５】
2020042179.tif 000017
【図１６】
2020042179.tif 000018
【図１７】
2020042179.tif 000019
【図１８】
2020042179.tif 000020
【図１９】
2020042179.tif 000021